(57)【要約】【課題】  幕板固定具及び幕板取付構造に関し、デッキ材の形状及び配置方向に係わりなく幕板を取り付けることができ、かつ施工性にも優れたデッキ床の幕板固定具及び幕板取付構造を提供することを課題とする。【解決手段】  デッキ床１に幕板１０を取り付ける際に用いられる幕板固定具８であって、幕板１０が固定される基板部３４と、木端面部５４に幕板１０を取り付ける際に用いられ、基板部３４から後方に屈曲形成され、根太材４の端部の両側面部に固定される上部固定板３６，３６と、木口面部５６に幕板１０を取り付ける際に用いられ、各上部固定板３６，３６から翼状に形成され、根太材４の側面部に固定される固定翼片３８，３８と、幕板１０の下部側に他の幕板１０を配置する際に用いられ、基板部３４から後方に屈曲形成され、他の幕板１０を固定するための縦材６２を固定する下部固定板４２，４２と、を有する構成である。【選択図】  図１
2011058220.tif 000002
【特許請求の範囲】
【請求項１】
断面ハット状の根太材上に並設されたデッキ材の木端が位置する木端面部、又はこれと直交しデッキ材の木口が位置する木口面部に幕板を取り付ける際に用いられるデッキ床の幕板取付具であって、
上記幕板が前面部に固定される矩形状の基板部と、
上記木端面部に上記幕板を取り付ける際に用いられ、上記基板部の上部の左右の端部からそれぞれ後方に屈曲形成され、この木端面部に位置する上記根太材の端部の両側面部にそれぞれ固定される上部固定板と、
上記木口面部に上記幕板を取り付ける際に用いられ、上記各上部固定板の端部からそれぞれ外向きに翼状に形成され、この木口面部に位置する上記根太材の側面部に固定される固定翼片と、
上記基板部に固定される幕板の下部側に他の幕板を配置する際に用いられ、上記基板部の下部の左右の端部からそれぞれ後方に屈曲形成され、上記他の幕板を固定するための縦材の上部を固定する下部固定板と、を有することを特徴とするデッキ床の幕板固定具。
【請求項２】
請求項１記載の幕板固定具を用い、上記デッキ床の木端面部に上記幕板を取り付ける幕板取付構造であって、
上記木端面部に位置する上記各根太材の端部にそれぞれ上記幕板固定具を設け、
上記幕板固定具の両上部固定板を、上記根太材の両側面部に外側から挟む状態で嵌め、止着具を用いて上記上部固定板を上記根太材の側面部に固定し、
上記各幕板固定具の基板部の前面に横向きに上記幕板を配置し、止着具を用いてこの幕板を上記幕板固定具の基板部に固定したことを特徴とする幕板取付構造。
【請求項３】
請求項１記載の幕板固定具を用い、上記デッキ床の木口面部に上記幕板を取り付ける幕板取付構造であって、
上記木口面部に位置する上記根太材の側面部の所定の間隔をおいた各位置に、それぞれ上記幕板固定具を設け、
上記幕板固定具の左右の固定翼片を、止着具を用いて上記根太材の側面部に固定し、
上記各幕板固定具の基板部の前面に横向きに上記幕板を配置し、止着具を用いてこの幕板を上記幕板固定具の基板部に固定したことを特徴とする幕板取付構造。
【請求項４】
上記幕板固定具の両下部固定板間に、ここから下方に向けて配置される断面ハット状の縦材の両側面部を嵌め込み、止着具を用いて上記下部固定板に上記縦材の側面部を固定し、
上記幕板固定具の基板部に固定された幕板の下側に新たな幕板を配置し、止着具を用いてこの新たな幕板を上記縦材の前面部に固定したことを特徴とする請求項２又は３記載の幕板取付構造。
【発明の詳細な説明】
【技術分野】
【０００１】
本発明は、デッキ床に幕板を取り付けるための幕板固定具及び幕板取付構造に関する。
【背景技術】
【０００２】
テラス、バルコニー等に設置されるデッキ床は、建物に対して平行にデッキ材が敷設される形態、或いは建物に対して直角方向にデッキ材が敷設される形態があり、またデッキ床の周りには、デッキ材の木端面による側部及びこれと直交する側面には木口面による側部が形成される。上記デッキ床の側部には幕板を取り付けて木端面或いは木口面を覆い、美感の向上を図っている。
【０００３】
例えば、特許文献１の屋外の床形成用デッキは、図１１に示すように、端部固定金具７０の固定片によって床梁７１端部を抱持してネジ７２で床梁７１に固定し、Ｌ字状に突設したＬ字状引掛片７３を端部デッキ材７４の下端突条７５に引掛け係止して端部デッキ材７４を床梁７１に固定する。そして、上記端部固定金具７０は幕板載置片７６を備え、この幕板載置片７６に幕板７７の下端を載置して幕板７７を垂直基板７８にネジ７９固定し、床梁長手方向端部と端部デッキ材７４を幕板７７で被覆する。
【０００４】
また特許文献２に記載のデッキは、上部側縁材と下部側縁材とからなる側縁材（幕板に相当）を用い、ねじにより下部側縁材を桁材に取り付け、この下部側縁材の上部に上部側縁材を嵌合し、この上部側縁材の先端部が長尺床材の側縁部の表面に係合して、デッキが組み立てられるというものである。
【先行技術文献】
【特許文献】
【０００５】
【特許文献１】特許第４１１９８５６号
【特許文献２】特許第３９３４９９８号
【発明の概要】
【発明が解決しようとする課題】
【０００６】
しかし、特許文献１の床形成用デッキは、木口面に幕板を取り付ける場合と、木端面に幕板を取り付ける場合には、取付け金具を別形状のものと交換しなければならず、また取付け金具がデッキ材の形状に依存するため、デッキ材の形状が異なれば取り付け金具の形状を変える必要がある等、部品点数が増えまた施工にも手間取るという問題がある。
また、特許文献２のデッキについても、幕板としての側縁材の取り付けがデッキ材の形状に依存するため、デッキ材の形状が異なれば側縁材の形状を変える必要があるという問題がある。
【０００７】
本発明は上記問題点を解決するためになされたものであり、デッキ材の形状及び配置方向に係わりなく幕板を取り付けることができ、かつ施工性にも優れたデッキ床の幕板固定具及び幕板取付構造を提供することを目的とする。
【課題を解決するための手段】
【０００８】
以上の技術的課題を解決するため、本発明に係るデッキ床の幕板固定具は、図１，３，７等に示すように、断面ハット状の根太材４上に並設されたデッキ材２の木端が位置する木端面部５４、又はこれと直交しデッキ材の木口が位置する木口面部５６に幕板１０を取り付ける際に用いられるデッキ床の幕板固定具８であって、上記幕板１０が前面部に固定される矩形状の基板部３４と、上記木端面部５４に上記幕板１０を取り付ける際に用いられ、上記基板部３４の上部の左右の端部からそれぞれ後方に屈曲形成され、この木端面部に位置する上記根太材４の端部の両側面部２２，２２にそれぞれ固定される上部固定板３６，３６と、上記木口面部５６に上記幕板１０を取り付ける際に用いられ、上記各上部固定板３６，３６の端部からそれぞれ外向きに翼状に形成され、この木口面部に位置する上記根太材４の側面部２２に固定される固定翼片３８，３８と、上記基板部３４に固定される幕板１０の下部側に他の幕板１０を配置する際に用いられ、上記基板部３４の下部の左右の端部からそれぞれ後方に屈曲形成され、上記他の幕板１０を固定するための縦材６２の上部を固定する下部固定板４２，４２と、を有する構成である。
【０００９】
本発明に係る幕板取付構造は、図１に示すように、上記幕板固定具８を用い、上記デッキ床１の木端面部５４に上記幕板１０を取り付ける幕板取付構造であって、上記木端面部５４に位置する上記各根太材４の端部にそれぞれ上記幕板固定具８を設け、上記幕板固定具８の両上部固定板３６，３６を、上記根太材４の両側面部２２，２２に外側から挟む状態で嵌め、止着具を用いて上記上部固定板３６，３６を上記根太材４の側面部に固定し、上記各幕板固定具８の基板部３４の前面に横向きに上記幕板１０を配置し、止着具を用いてこの幕板１０を上記幕板固定具８の基板部３４に固定した構成である。
【００１０】
本発明に係る幕板取付構造は、図７に示すように、上記幕板固定具８を用い、上記デッキ床１の木口面部５６に上記幕板１０を取り付ける幕板取付構造であって、上記木口面部５６に位置する上記根太材４の側面部の所定の間隔をおいた各位置に、それぞれ上記幕板固定具８を設け、上記幕板固定具８の左右の固定翼片３８，３８を、止着具を用いて上記根太材４の側面部２２に固定し、上記各幕板固定具８の基板部３４の前面に横向きに上記幕板１０を配置し、止着具を用いてこの幕板１０を上記幕板固定具８の基板部３４に固定した構成である。
【００１１】
本発明に係る幕板取付構造は、図５，９に示すように、上記幕板固定具８の両下部固定板４２，４２間に、ここから下方に向けて配置される断面ハット状の縦材６２の両側面部を嵌め込み、止着具を用いて上記下部固定板４２，４２に上記縦材６２の側面部を固定し、
上記幕板固定具８の基板部３４に固定された幕板１０の下側に新たな幕板１０を配置し、止着具を用いてこの新たな幕板１０を上記縦材６２の前面部に固定した構成である。
【発明の効果】
【００１２】
本発明に係るデッキ床の幕板取付具によれば、木端面部又は木口面部を有するデッキ床に幕板を取り付ける際に用いられる幕板取付具であって、幕板が固定される基板部と、木端面部に幕板を取り付ける際に用いられ、根太材の端部の両側面部にそれぞれ固定される上部固定板と、木口面部に幕板を取り付ける際に用いられ、根太材の側面部に固定される固定翼片と、基板部に固定した幕板の下部側に他の幕板を配置する際に用いられ、他の幕板を固定するための縦材の上部を固定する下部固定板と、を有する構成を採用したから、一種類の幕板取付具でデッキ床の木端面部及び木口面部の何れにも幕板を取り付けることができて使い勝手が良く施工性に優れるとともに部品点数の削減にも寄与し、またデッキ材の形状に関係なく幕板を取り付けることができて利便性がよく、加えて複数の幕板を取り付けることが可能であり拡張性にも優れるという効果がある。
【００１３】
本発明に係る幕板取付構造によれば、木端面部に位置する各根太材の端部に幕板固定具を設け、幕板固定具の両上部固定板を根太材の側面部に固定し、幕板を幕板固定具の基板部に固定した構成を採用したから、デッキ床の木端面部に容易にかつデッキ材の形状に関係なく幕板を取り付けることができて利便性がよく、また施工性にも優れるという効果がある。
【００１４】
本発明に係る幕板取付構造によれば、木口面部に位置する根太材の側面部に幕板固定具を設け、幕板固定具の固定翼片を止着具を用いて根太材の側面部に固定し、幕板を幕板固定具の基板部に固定した構成を採用したから、デッキ床の木口面部に容易にかつデッキ材の形状に関係なく幕板を取り付けることができて利便性がよく、また施工性にも優れるという効果がある。
【００１５】
本発明に係る幕板取付構造によれば、幕板固定具の両下部固定板に縦材の側面部を固定し、幕板の下側に配置した新たな幕板を縦材の前面部に固定した構成を採用したから、幕板の敷設を容易に複数段に増設することができて拡張性及び施工性に優れるという効果がある。
【図面の簡単な説明】
【００１６】
【図１】本発明の実施の形態に係り、デッキ床の木端面部に幕板を取り付けた幕板取付構造を示す図である。
【図２】実施の形態に係る幕板取付具の斜視図（ａ）（ｂ）である。
【図３】幕板を取り付けたデッキ床を示す図である。
【図４】実施の形態に係り幕板取付具を根太材の端部に取り付けた状態を示す図である。
【図５】実施の形態に係り、木端面部に幕板を二段取り付けた幕板取付構造を示す図である。
【図６】実施の形態に係り、根太材の端部に固定した幕板取付具に縦材を取り付けた状態を示す図である。
【図７】本発明の実施の形態に係り、デッキ床の木口面部に幕板を取り付けた幕板取付構造を示す図である。
【図８】実施の形態に係り幕板取付具を根太材の側面部に取り付けた状態を示す図である。
【図９】実施の形態に係り、木口面部に幕板を二段取り付けた幕板取付構造を示す図である。
【図１０】実施の形態に係り、根太材の側面部に固定した幕板取付具に縦材を取り付けた状態を示す図である。
【図１１】従来例に係る屋外の床形成用デッキを示す図である。
【発明を実施するための形態】
【００１７】
以下、本発明の実施の形態を図面に基づいて説明する。
図１，３は、テラス、バルコニー等に設置されるデッキ床に幕板を取り付けた幕板取付構造を示したものである。
【００１８】
このデッキ床１は、デッキ材２、根太材４、支持脚６、幕板１０及びデッキ材の固定具１２を有し、さらにデッキ床１に幕板１０を取付けるための幕板固定具８を有する。また上記デッキ床１の周りには、デッキ材２の木端面による側部（木端面部５４）及びこれと直交する側面に木口面による側部（木口面部５６）が形成される。上記幕板固定具８は、デッキ床１の木端面部５４に幕板１０を取り付ける場合、及び木口面部５６に幕板１０を取り付ける場合の何れについても使用することができる。
【００１９】
上記デッキ材２は、長尺状の板材からなり長手側（木端）の両側部の中央部には、それぞれ長手方向に溝部１４が形成され、この溝部１４の上下側にはそれぞれ突出部１６，１７が突条に形成されている。このデッキ材２は、断面が左右対称な形状である。
上記デッキ材２は耐候性を考慮して再生木を使用しているが、他には硬質の天然木材を用いることもできる。
【００２０】
上記硬質の木材としては、マニルカラ、ジャラ、イペ、セランガンバツ等があり何れも耐候性に優れた材料である。上記再生木は、木粉、顔料にポリエチレン樹脂（又はポリプロピレン樹脂）などの合成樹脂を混ぜて板状に加工した人工木材であり、耐久性に優れ素足歩行にも馴染む材料である。これら硬質木材、再生木は、屋外での長期使用に耐える。
【００２１】
上記根太材４は、上面部２０、側面部２２，２２及びフランジ部２４，２４を有する断面ハット形の鋼製の長尺材である。
上記支持脚６は、下部近傍に座金が螺着された鋼製の支持ボルト２６、この支持ボルト２６の上部に螺着され高さ調整可能な鋼製円板状の受け具２８、及びこの受け具２８の上部に設けられる防振ゴム２９等を有する。上記受け具２８は、中央の孔部の下部にナット３０が固定されている。この受け具２８は支持ボルト２６に螺着され、上部からナット３１を締結して固定されている。
【００２２】
上記幕板固定具８は図２に示すように、上下に長い長方形状の基板部３４、この基板部３４の上部側の左右の端部からそれぞれ後方に向けて直角に屈曲形成された矩形状の上部固定板３６，３６、及び各上部固定板３６，３６の端部からそれぞれ外側に向けて直角に屈曲形成された翼状の固定翼片３８，３８を有している。上記上部固定板３６，３６及び固定翼片３８，３８にはそれぞれ中央部にネジ用の孔部４０が設けられている。
【００２３】
また幕板固定具８には、基板部３４の下部側にも左右の端部からそれぞれ後方に向けて直角に屈曲形成された矩形状の下部固定板４２，４２が設けられている。これら下部固定板４２，４２には、それぞれ中央部にネジ用の孔部４０が形成されている。
上記幕板固定具８の基板部３４には、上部固定板３６，３６と下部固定板４２，４２との間に、これら固定板と同方向に僅かに屈曲された屈曲部４３，４３が形成され、また上部固定板３６，３６の上部にも屈曲部４４，４４が形成され、基板部３４の強度を確保している。この幕板固定具８は、ＳＵＳ（ステンレス材）或いは鋼材からなる。
【００２４】
上記幕板１０は、板状の長尺材であり材質は上記デッキ材２と同様、天然木材、再生木等を使用している。
デッキ材２の端部間を固定する上記固定具１２は、台座部４６の上端部から左右にそれぞれ第一の翼片４８及び第二の翼片５０が突設形成された形状である。上記台座部４６には、上下に貫通するビス孔が設けられている。
【００２５】
ここで、図１，３等に示す上記デッキ床１について説明する。
このデッキ床１の施工に際しては、コンクリートなどのスラブ面の所定位置に工具を用いて穴をあけ、各穴内にエポキシ系接着剤を注入し支持脚６の支持ボルト２６を埋設する。そして、支持ボルト２６に螺設した座金をスラブ面の位置に調節して支持ボルト２６を固定し、ナット３０，３１を回転操作して受け具２８の高さ調整を行なう。
【００２６】
上記支持脚６の立設後は、各支持脚６間に根太材４を架設し、支持脚６の受け具２８の上部に設けられた防振ゴム２９の上部に根太材４のフランジ部２４，２４を載置する。そして、根太材４のフランジ部２４，２４をビスなどの止着具を用いて受け具２８に固定する。各根太材４は、所定の間隔をおいて互いに平行に配置する。
【００２７】
次に、デッキ材２を上記根太材４の上部に配置し、根太材４と直交する方向に向け固定具１２を用いてデッキ材２を根太材４の端から順に取り付ける。このとき、固定具１２の第一の翼片４８及び第二の翼片５０をデッキ材２の溝部１４に介在させ、ビス１３を用いて台座部４６を根太材４の上面部に固定する。同様にして、各デッキ材２を順に根太材４の上部に並べて固定する。
【００２８】
上記並設したデッキ材２の内、最も外側のデッキ材２の側部（木端）はこれと直交する根太材４の端部と略同位置になるように配置する。
上記デッキ床１では、デッキ材２の木端面が床の端部となる木端面部５４と、デッキ材２の木口面が床の端部となる木口面部５６とが形成され、上記木端面部５４には各根太材４の端部が位置し又上記木口面部５６には根太材４の側面部２２が位置する。
上記幕板固定具８は、デッキ床１の木端面部５４及び木口面部５６のそれぞれに幕板１０を取り付ける際に用いる。
【００２９】
先ず、図１に示すようにデッキ床１の木端面部５４に幕板１０を取り付ける場合について説明する。この場合は、木端面部５４に位置する各根太材４の端部に幕板固定具８を取り付ける。図４に示すように、幕板固定具８は、左右の上部固定板３６，３６により、根太材４の側面部２２，２２を外側から挟む状態で嵌める。このとき上部固定板３６，３６の下部は、それぞれ根太材４のフランジ部２４，２４の上部に接するように配置する。
【００３０】
そして、ビス４９を上部固定板３６，３６の孔部４０を介して根太材４の側面部２２，２２に螺設し、幕板固定具８を根太材４の端部を被う状態で固定する。このビス４９は、セルフドリリング可能なものを用いる。同様にして、各根太材４の端部に幕板固定具８を取り付ける。
【００３１】
最後に、上記各幕板固定具８の基板部３４の前面に横向きに幕板１０を配置し、この幕板１０の前面部から幕板固定具８の基板部３４を貫通する状態でビス６０を締結する。このビス６０はセルフドリリング可能であり、工具を用いて螺設する。幕板１０の取り付けでは、ビス６０を幕板１０の上下部の２箇所に螺設し、幕板１０を幕板固定具８の基板部３４に固定する。この幕板１０により、デッキ材２及び根太材４の近傍を被覆する。
【００３２】
図５は、幕板１０を上下二段に取り付ける場合の取り付け形態を示したものである。
この場合は上記と同様に、根太材４の端部に幕板固定具８を嵌め、ビス４９を用いて上部固定板３６，３６を根太材４の側面部２２，２２に固定し、幕板固定具８を根太材４に取り付ける。
【００３３】
さらにここでは、幕板１０を固定するための縦材６２を用いる。この縦材６２は断面ハット状の鋼材からなり、前面部６４、側面部６６，６６及びフランジ部６８，６８を有する。この縦材６２は図６に示すように、根太材４の端部に固定した幕板固定具８の下部固定板４２，４２に下向きに取り付ける。
【００３４】
上記縦材６２を取り付ける場合、幕板固定具８の下部固定板４２，４２により縦材６２の上部の側面部６６，６６を外側から挟む状態で嵌め込み、縦材６２の前面部６４を幕板固定具８の基板部３４に当てた状態とする。そして、ビス４９を下部固定板４２，４２の孔部４０を介して縦材６２の側面部６６，６６に螺設し、縦材６２の上部側を幕板固定具８に固定する。この縦材６２は、吊り下げた状態で使用してもよく、また下端部をスラブ面に固定してもよい。
【００３５】
幕板１０の取り付けに際しては、まず上記と同様にして、各幕板固定具８の基板部３４の前面に幕板１０を配置し、ビス６０を用いて幕板１０を幕板固定具８の基板部３４に固定する。つぎに、上記幕板１０の下側に二段目の幕板１０を配置し、この幕板１０の前面部から上記縦材６２の前面部６４を貫通する状態でビス６０を締結し、二段目の幕板１０を縦材６２に固定する。上記二段の幕板１０により、デッキ材２、根太材４及び支持脚６の前部を被覆する。
【００３６】
なお、上記幕板１０は二段以上の複数段に取り付けることができ、特にデッキ床１が高い場合などでは、上記縦材６２を長い形状とし、上記と同様にしてこの縦材６２に三段目或いはそれ以上の段に幕板１０を取り付けることが可能である。
【００３７】
次に、図７に示すようにデッキ床１の木口面部５６に幕板１０を取り付ける場合について説明する。この場合は、木口面部５６に位置する根太材４の側面部２２に上記幕板固定具８を取り付ける。図８に示すように、幕板固定具８の上部固定板３６，３６の下部を根太材４のフランジ部２４の上部に接するように配置した状態で、左右の固定翼片３８，３８を根太材４の側面部２２に押し当て、ビス４９を用いて固定翼片３８，３８を根太材４の側面部２２に固定する。同様にして、幕板固定具８を所定の間隔をおいて根太材４の側面部２２に複数取り付ける。
【００３８】
次に、各幕板固定具８の基板部３４の前面に横向きに幕板１０を配置し、この幕板１０の前面部から幕板固定具８の基板部３４を貫通する状態でビス６０を締結する。上記ビス６０は、幕板１０の上下部の２箇所に取り付けて幕板１０を幕板固定具８の基板部３４に固定する。この幕板１０により、デッキ材２及び根太材４の近傍を被覆する。
【００３９】
図９は、幕板１０を上下二段に取り付ける場合の取り付け形態を示したものである。
この場合は上記と同様に、根太材４の側面部２２に幕板固定具８を当て、ビス４９を用いて固定翼片３８，３８を根太材４の側面部２２，２２に固定する。
【００４０】
さらにここでは、幕板１０を固定するための縦材６２を用いる。この縦材６２は図１０に示すように、根太材４の側面部２２に固定した幕板固定具８の下部固定板４２，４２に下向きに取り付ける。
このとき、幕板固定具８の下部固定板４２，４２により縦材６２の上部の側面部６６，６６を外側から挟む状態で嵌め込み、縦材６２の前面部６４を幕板固定具８の基板部３４に当てた状態とする。
【００４１】
そして、ビス４９を下部固定板４２，４２の孔部４０を介して縦材６２の側面部６６，６６に螺設し、縦材６２の上部側を幕板固定具８に固定する。この縦材６２は、吊り下げた状態で使用してもよく、また下端部をスラブ面に固定してもよい。
【００４２】
幕板１０の取り付けに際しては、上記と同様にして、各幕板固定具８の基板部３４の前面に幕板１０を配置し、ビス６０を用いて幕板１０を幕板固定具８の基板部３４に固定する。つぎに、上記幕板１０の下側に二段目の幕板１０を配置し、この幕板１０の前面部から上記縦材６２の前面部６４を貫通する状態でビス６０を締結し、二段面の幕板１０を縦材６２に固定する。上記二段の幕板１０により、デッキ材２、根太材４及び支持脚６の前部を被覆する。
【００４３】
なお、デッキ床１が高い場合などでは、上記縦材６２を長い形状とし、上記と同様にしてこの縦材６２に、三段目或いはそれ以上の段に幕板１０を取り付けることは可能である。
【００４４】
従って、上記実施の形態によれば、一種類の幕板取付具でデッキ床の木端面部及び木口面部の何れにも幕板を取り付けることができて使い勝手が良く施工性に優れるとともに部品点数の削減にも寄与し、またデッキ材の形状に関係なく幕板を取り付けることができて利便性がよく施工性にも優れる。また、デッキ床の木端面部及び木口面部に容易に幕板を取り付けることができて施工性に優れ、さらに縦材を用いることで幕板の敷設を容易に複数段に増設することができて拡張性にも優れる。
【符号の説明】
【００４５】
２  デッキ材
４  根太材
８  幕板固定具
１０  幕板
２２  側面部
３４  基板部
３６  上部固定板
３８  固定翼片
４２  下部固定板
６２  縦材
５４  木端面部
５６  木口面部
【図１】
2011058220.tif 000003
【図２】
2011058220.tif 000004
【図３】
2011058220.tif 000005
【図４】
2011058220.tif 000006
【図５】
2011058220.tif 000007
【図６】
2011058220.tif 000008
【図７】
2011058220.tif 000009
【図８】
2011058220.tif 000010
【図９】
2011058220.tif 000011
【図１０】
2011058220.tif 000012
【図１１】
2011058220.tif 000013